(57)【要約】【課題】内容物収納済みの紙箱を店頭等で陳列する際に状況に合わせて置き方を変えることができる形状を有する紙箱を提供することにある。【解決手段】少なくとも、四角形の正面板の一辺に五角形の側面板を連設し、相対する他辺に同じ向きの五角形の側面板、四角形の背面板を連設し、正面板若しくは背面板の連設された五角形の側面板の山を有する側の一辺に四角形の底面板を連設し、残りの一辺に四角形の天面板を連設し、さらに底面板の所定位置に正面板と底面板との間の罫線と平行に折り曲げ罫線を設けたブランクからなり、五角形の側面板の山の部分が底面板と接するように製函された角柱形状の紙箱であって、該底面板が前記折り曲げ罫線を介して折り曲げられ、外側に三角状に突き出ていることを特徴とする。【選択図】図１
2005170491.tif 000002
【特許請求の範囲】
【請求項１】
少なくとも、四角形の正面板の一辺に五角形の側面板を連設し、相対する他辺に同じ向きの五角形の側面板、四角形の背面板を連設し、正面板若しくは背面板の連設された五角形の側面板の山を有する側の一辺に四角形の底面板を連設し、残りの一辺に四角形の天面板を連設し、さらに底面板の所定位置に正面板と底面板との間の罫線と平行に折り曲げ罫線を設けたブランクからなり、五角形の側面板の山の部分が底面板と接するように製函された角柱形状の紙箱であって、該底面板が前記折り曲げ罫線を介して折り曲げられ、外側に三角状に突き出ていることを特徴とする紙箱。
【発明の詳細な説明】
【技術分野】
【０００１】
本発明は、各種の内容物を収納する為の紙箱に関するものである。
【背景技術】
【０００２】
紙箱に各種内容物を収納した商品を店頭等の棚に陳列する場合、より販売を促進する為に陳列方法を種々工夫する必要があり、例えば大人向けの商品の時は大人が見易いように陳列する必要があり、子供向けの商品の時は子供が見易いように陳列する必要がある。ところが、図４に示したような角柱形状の紙箱に内容物を収納した商品は、店頭等の棚に陳列する場合に購買対象あるいは棚の位置に応じて、適宜陳列方法を変化させることは難しかった。
【発明の開示】
【発明が解決しようとする課題】
【０００３】
本発明の課題は、内容物収納済みの紙箱を店頭等で陳列する際に状況に合わせて置き方を変えることができる形状を有する紙箱を提供することにある。
【課題を解決するための手段】
【０００４】
本発明の請求項１に係る発明は、少なくとも、四角形の正面板の一辺に五角形の側面板を連設し、相対する他辺に同じ向きの五角形の側面板、四角形の背面板を連設し、正面板若しくは背面板の連設された五角形の側面板の山を有する側の一辺に四角形の底面板を連設し、残りの一辺に四角形の天面板を連設し、さらに底面板の所定位置に正面板と底面板との間の罫線と平行に折り曲げ罫線を設けたブランクからなり、五角形の側面板の山の部分が底面板と接するように製函された角柱形状の紙箱であって、該底面板が前記折り曲げ罫線を介して折り曲げられ、外側に三角状に突き出ていることを特徴とする紙箱である。
【発明の効果】
【０００５】
本発明の紙箱は、少なくとも、四角形の正面板の一辺に五角形の側面板を連設し、相対する他辺に同じ向きの五角形の側面板、四角形の背面板を連設し、正面板若しくは背面板の連設された五角形の側面板の山を有する側の一辺に四角形の底面板を連設し、残りの一辺に四角形の天面板を連設し、さらに底面板の所定位置に正面板と底面板との間の罫線と平行に折り曲げ罫線を設けたブランクからなり、五角形の側面板の山の部分が底面板と接するように製函された角柱形状の紙箱であって、該底面板が前記折り曲げ罫線を介して折り曲げられ、外側に三角状に突き出ているので、内容物を収納した紙箱を店頭の棚等に陳列する際に、購買対象や棚の位置により、紙箱の底面板の面を変えることにより、前傾させたり、後傾させたりして、陳列方法を適宜変えることが可能になり、より販売を促進する効果を有する。
【発明を実施するための最良の形態】
【０００６】
本発明の紙箱を実施の形態に沿って、以下に説明する。図１は本発明の一実施形態の紙箱の展開図であり、ブランク（１０）は、四角形の正面板（１１）の一辺に罫線（３０）を介して五角形の側面板（１４）を連設し、相対する他辺に罫線（３１）を介して同じ向きの五角形の側面板（１３）を連設し、さらに罫線（３２）を介して四角形の背面板（１２）を連設し、前記四角形の正面板（１１）の連設された五角形の側面板の山を有する側の一辺に罫線（３３）を介して四角形の底面板（１５）を連設し、前記底面板（１５）の所定位置に罫線（３３）と平行に折り曲げ罫線（４４）を設けており、さらに正面板（１１）の残り一辺に罫線（３４）を介して四角形の天面板（１６）を連設している。前記底面板（１５）は背面板（１２）の連設された側面板（１３）の山を有する側の一辺に連設
しても構わない。さらに、前記側面板（１３）には罫線（３５）を介してフラップ（１７）が連設されていると共に罫線（３６、３７）を介して糊代（２０、２１）が連設されており、側面板（１４）には罫線（３８）を介してフラップ（１８）が連設されていると共に罫線（３９）を介して糊代（２２）が連設され、罫線（４０、４１）を介して糊代（２３、２４）が連設されており、さらに底面板（１５）には罫線（４２）を介して糊代（２５）が連設され、天面板（１６）には罫線（４３）を介してフラップ（１９）が連設されている。前記罫線（３３）と折れ曲げ罫線（４４）間の長さと、罫線（３７）及び罫線（４１）の長さは同一の長さ（ｄ）であり、罫線（４２）と折り曲げ罫線（４４）間の長さと、罫線（３６）及び罫線（４０）の長さは同一の長さ（ｄ′）である。
【０００７】
図２は本発明の一実施形態の紙箱の斜視図であり、紙箱（１）は前記ブランク（１０）からなり、底面部（１５ａ）と五角形の側面板（１３、１４）の糊代（２１、２４）が接し、底面部（１５ｂ）と五角形の側面板（１３、１４）の糊代（２０、２３）が接するように製函されており、主に、四角形の正面板（１１）、四角形の背面板（１２）、五角形の側面板（１３、１４）、四角形の天面板（１６）、折れ曲げ罫線（４４）を介して折り曲げられ、外側に三角状に突き出た底面板（１５）を有している。前記底面板（１５）は折り曲げられた一方の面が底面部（１５ａ）からなり、他方の面が底面部（１５ｂ）からなっている。従って、本発明の紙箱は前記底面部（１５ａ）あるいは底面部（１５ｂ）のいずれかの面を棚等に接地させることにより、内容物を収納した紙箱を状況に応じて正面から見て前傾させたり、後傾させたりして陳列させることが可能になる。
【０００８】
本発明の紙箱に使用する材料は特に限定されず、紙層単体に印刷を施したもの、あるいは紙層と高分子樹脂からなる他の層との積層体の紙層面に印刷を施したものが好ましい。
【０００９】
以下に本発明の紙箱の使用例を説明する。図３（ａ）は紙箱の陳列の一実施例で、大人向けの内容物が収納された紙箱を棚に陳列した時の説明図であり、紙箱（１）の正面板に印刷された絵柄が良く視認でき、かつ商品説明などの文字が容易に可読できるように、大人の目の高さより上の棚に陳列する時は前傾させ、正面板の角度を少し下向きに陳列し、目の高さより下の棚に陳列する時は後傾させ、正面板の角度を少し上向きに陳列しており、（ｂ）は紙箱の陳列の他の実施例で、子供向けの内容物を収納した紙箱を棚に陳列した時の説明図であり、前記と同様の理由から、子供の目の高さより上の棚に陳列する時は前傾させ、正面板の角度を少し下向きに陳列し、目の高さより下の棚に陳列する時は後傾させ、正面板の角度を上向きに陳列している。前記のように陳列方法を適宜変えることにより、販売が促進される。
【図面の簡単な説明】
【００１０】
【図１】（ａ）本発明の一実施形態の紙箱の展開図であり、（ｂ）は本発明の一実施形態の紙箱の斜視図である。
【図２】（ａ）は本発明の紙箱の陳列の一実施例の説明図であり、（ｂ）は陳列の他の実施例の説明図である。
【図３】従来の角柱形状の紙箱の斜視図である。
【符号の説明】
【００１１】
１，１′…紙箱
１０…ブランク
１１，１１′…正面板
１２，１２′…背面板
１３，１３′，１４，１４′…側面板
１５，１５′…底面板
１５ａ，１５ｂ…底面部
１６，１６′…天面板
１７，１８，１９…フラップ
２０，２１，２２，２３，２４，２５…糊代
３０，３１，３２，３３，３４，３５，３６，３７．３８，３９，４０，４１，４２，４３…罫線
４４…折り曲げ罫線
５０…大人
５１…子供
５２…目線
５３…棚
５４…床面
ｄ，ｄ′…長さ
【図１】
2005170491.tif 000003
【図２】
2005170491.tif 000004
【図３】
2005170491.tif 000005